Podtech/llm-jp-corpus-v4-ja_patent huggingface dataset:
【手続補正書】
【提出日】令和2年3月4日(2020.3.4)
【手続補正１】
【補正対象書類名】特許請求の範囲
【補正対象項目名】全文
【補正方法】変更
【補正の内容】
【特許請求の範囲】
【請求項１】
第１の対象から第２の対象へのジカウイルス感染の伝染を予防するための医薬組成物であって、前記医薬組成物は、有効量の式Ｉの化合物、またはその薬学的に許容される塩、水和物、もしくは溶媒和物を含み、
【化１】
2019507195.tif 000001
式中、ＡはＯＨまたはＮＨ２であり、ＢはＨまたはＮＨ２である、医薬組成物。
【請求項２】
対象におけるジカウイルス感染を、または対象におけるジカウイルス感染と関連する疾病もしくは病態を、治療、予防、または抑制するための医薬組成物であって、前記医薬組成物は、有効量の式Ｉの化合物、またはその薬学的に許容される塩、水和物、もしくは溶媒和物を含み、
【化２】
2019507195.tif 000002
式中、ＡはＯＨまたはＮＨ２であり、ＢはＨまたはＮＨ２である、医薬組成物。
【請求項３】
対象の体液、組織、または細胞中のジカウイルスのウイルス力価を低下させるための医薬組成物であって、前記医薬組成物は、有効量の式Ｉの化合物、またはその薬学的に許容される塩、水和物、もしくは溶媒和物を含み、
【化３】
2019507195.tif 000003
式中、ＡはＯＨまたはＮＨ２であり、ＢはＨまたはＮＨ２である、医薬組成物。
【請求項４】
前記第２の対象は、前記第１の対象の性交渉の相手である、請求項１に記載の医薬組成物。
【請求項５】
前記第１の対象は男性であり、前記第２の対象は女性である、請求項１に記載の医薬組成物。
【請求項６】
前記ジカウイルス感染は、前記第１の対象の体液の前記第２の対象への伝達を通して、前記第１の対象から前記第２の対象に伝染される、請求項４に記載の医薬組成物。
【請求項７】
前記体液は、血液、精液、精漿、または唾液である、請求項６に記載の医薬組成物。
【請求項８】
前記医薬組成物が第２の対象に投与される、請求項４に記載の医薬組成物。
【請求項９】
前記第２の対象によるジカウイルスの伝染が低下する、請求項８に記載の医薬組成物。
【請求項１０】
前記第１の対象は女性であり、前記第２の対象は乳児または出生前のヒトである、請求項１に記載の医薬組成物。
【請求項１１】
前記ジカウイルス感染は、前記第１の対象の体液の前記第２の対象への伝達を通して、前記第１の対象から前記第２の対象に伝染される、請求項１０に記載の医薬組成物。
【請求項１２】
前記体液は、血液、血漿、血清、羊水、母乳、膣分泌物、尿、または唾液である、請求項１１に記載の医薬組成物。
【請求項１３】
前記式Ｉの前記化合物は、前記第１の対象に投与される、請求項１０に記載の医薬組成物。
【請求項１４】
前記投与は、前記第１の対象の体液中のジカウイルスのウイルス力価を低下させる、請求項１３に記載の医薬組成物。
【請求項１５】
前記体液は、血液、血漿、血清、羊水、母乳、膣分泌物、尿、または唾液である、請求項１４に記載の医薬組成物。
【請求項１６】
前記疾病または病態は、発熱、皮膚発疹、結膜炎、筋肉及び関節の痛み、倦怠感、頭痛、神経学的合併症、自己免疫合併症、ギラン・バレー症候群、小頭症、または上記の組み合わせである、請求項２に記載の医薬組成物。
【請求項１７】
前記体液は、血液、血漿、血清、羊水、母乳、精液、精漿、膣分泌物、脳脊髄液、尿、または唾液である、請求項３に記載の医薬組成物。
【請求項１８】
前記組織は、胚、胎児、胎盤、肝臓、腎臓、脾臓、脳、精巣、または子宮である、請求項３に記載の医薬組成物。
【請求項１９】
前記ジカウイルスのさらなる伝染が低減される、請求項１７または１８に記載の医薬組成物。
【請求項２０】
ＡはＮＨ２であり、ＢはＨである、請求項１〜１９のいずれか１項に記載の医薬組成物。
【請求項２１】
前記対象は、追加のウイルスに感染している、請求項１〜２０のいずれか１項に記載の医薬組成物。
【請求項２２】
前記追加のウイルスは、ヤブカ（Ａｅｄｅｓ）属の蚊によって伝染される、請求項２１に記載の医薬組成物。
【請求項２３】
１つ以上の追加の抗ウイルス剤をさらに含む、請求項１〜２２のいずれか１項に記載の医薬組成物。
【請求項２４】
前記医薬組成物は、前記対象が前記ジカウイルスに感染する前に、前記対象がジカウイルスに感染した後に、または前記対象がジカウイルスに感染した後かつ前記ジカウイルス感染が検出され得る前に、前記対象に投与される、請求項１〜２３のいずれか１項に記載の医薬組成物。
【請求項２５】
単回用量の式Ｉの前記化合物が治療過程中に投与される、請求項１〜２４のいずれか１項に記載の医薬組成物。
【請求項２６】
前記単回用量が、前記単回用量を含有する単回医薬組成物として、または前記単回用量が、前記単回用量を複数回投与のための量に分割することにより得られる量をそれぞれ含有する複数の医薬組成物として投与される、請求項２５に記載の医薬組成物。
【請求項２７】
２回分以上の用量の式Ｉの前記化合物が治療過程中に投与される、請求項１〜２４のいずれか１項に記載の医薬組成物。
【請求項２８】
各用量が、単回医薬組成物として、または各用量が、前記各用量を複数回投与のための量に分割することにより得られる量をそれぞれ含有する複数の医薬組成物として投与される、請求項２７に記載の医薬組成物。
【請求項２９】
各用量における前記式Ｉの前記化合物の量は同じではない、請求項２７または２８に記載の医薬組成物。
【請求項３０】
前記治療過程は、少なくとも１つの用量を負荷用量として、かつ少なくとも１つの用量を維持用量として投与することを含む、請求項２７〜２９のいずれか１項に記載の医薬組成物。
【請求項３１】
前記医薬組成物は、静脈内投与、筋肉内投与、非経口投与、経口投与、または上記の組み合わせによって投与される、請求項１〜３０のいずれか１項に記載の医薬組成物。
【請求項３２】
前記医薬組成物は、薬学的に許容される担体をさらに含む、請求項１〜３１のいずれか１項に記載の医薬組成物。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
式（Ｉ）のフッ素１８標識化合物、またはその任意のプロドラッグ、薬学的に許容される塩、代謝産物、多形体、溶媒和物、水和物、立体異性体、放射性同位体または互変異性体。
【化１】
2019507155.tif 000001
【請求項２】
式（ＩＩＩ）に表されるR-立体異性化学（stereoisochemistry）または、任意のそのプロドラッグ、薬学的に許容される塩、代謝産物、多形体、溶媒和物、水和物、立体異性体、放射性同位体または互変異性体を有する請求項１に記載のフッ素１８標識化合物。
【化２】
2019507155.tif 000002
【請求項３】
式（ＩＩ）に表されるS-立体異性化学（stereoisochemistry）または、任意のそのプロドラッグ、薬学的に許容される塩、代謝産物、多形体、溶媒和物、水和物、立体異性体、放射性同位体または互変異性体を有する請求項１に記載のフッ素１８標識化合物。
【化３】
2019507155.tif 000003
【請求項４】
請求項１〜３のいずれか１に記載の放射性標識化合物を含む放射性医薬組成物、または、任意で１以上の不活性担体および／または希釈剤をさらに含む、放射性医薬組成物。
【請求項５】
請求項１〜３のいずれか１に記載の放射性標識化合物または請求項４に記載の放射性医薬組成物を含むヒト医薬における診断剤。
【請求項６】
請求項１〜３のいずれか１に記載の放射性標識化合物または請求項４に記載の放射性医薬組成物を含む腫瘍イメージング剤。
【請求項７】
請求項１〜３のいずれか１に記載の放射性標識化合物または請求項４に記載の放射性医薬組成物を含む、インビボ診断用の診断剤、または腫瘍イメージング用のイメージング剤。
【請求項８】
請求項１〜３のいずれか１に記載の放射性標識化合物または請求項４に記載の放射性医薬組成物の診断イメージングを必要とされるヒトに有効量を投与し、陽電子放出断層撮影法を用いて前記ヒトの腫瘍におけるEGFRを定量するのに有用な画像を得る、ヒトのEGFR関連腫瘍の診断イメージング剤。
【請求項９】
定量が望まれるヒト組織を、請求項１〜３のいずれか１に記載の放射性標識化合物または請求項４に記載の放射性医薬組成物と接触させ、陽電子放出断層撮影法を用いてEGFRを検出または定量する、ヒト組織におけるEGFRの定量剤。
【請求項１０】
請求項１に記載の放射性標識化合物を調製する方法であって、該方法は以下の工程：
放射性標識された
【化４】
2019507155.tif 000004
を式（Ｉｂ）の化合物と反応させ、生じる式（Ｉ）の化合物を単離する工程を含む、方法。
【化５】
2019507155.tif 000005
【請求項１１】
請求項２に記載の放射性標識化合物を調製する方法であって、該方法は以下の工程：
放射性標識された
【化６】
2019507155.tif 000006
を式（ＩＩＩｂ）の化合物と反応させ、生じる式（ＩＩＩ）の化合物を単離する工程を含む、方法。
【化７】
2019507155.tif 000007
【請求項１２】
請求項３に記載の放射性標識化合物を調製する方法であって、該方法は以下の工程：
放射性標識された
【化８】
2019507155.tif 000008
を式（ＩＩｂ）の化合物と反応させ、生じる式（ＩＩ）の化合物を単離する工程を含む、方法。
【化９】
2019507155.tif 000009
【手続補正書】
【提出日】令和1年11月27日(2019.11.27)
【手続補正１】
【補正対象書類名】特許請求の範囲
【補正対象項目名】全文
【補正方法】変更
【補正の内容】
【特許請求の範囲】
【請求項１】
式（Ｉ）の不飽和フッ素化化合物。
【化１】
2019507105.tif 000001
［式中、Ｘは、Ｏ又はＮであり、
Ｙは、Ｆ又はＨであり、
Ｚは、Ｆ又はＣＦ３であり、
Ａは、Ｆ又はＣＦ３であり、
ＸがＯのとき、ｎは１であり、ＹはＨであり、ＺはＦであり、ＡはＦであり、Ｒｆは、１〜１０個の炭素原子を含み、任意選択により少なくとも１個の連結されたＯ又はＮ原子を含む直鎖状又は分枝鎖状の過フッ素化アルキル基であり、
ＸがＮのとき、ｎは２であり、各Ｒｆ基は、（ｉ）１〜８個の炭素原子を含み、任意選択により少なくとも１個の連結されたＯ若しくはＮ原子を含む直鎖状若しくは分枝鎖状の過フッ素化アルキル基から独立に選択されるか、又は（ｉｉ）共に結合して、４〜８個の炭素原子を含み、任意選択により少なくとも１個の連結されたＯ若しくはＮ原子を含む環構造を形成しており、但しＺがＣＦ３のとき、ＡはＦであり、ＡがＣＦ３のとき、ＺはＦである。］
【請求項２】
ＸがＮのとき、ＹがＦである、請求項１に記載の不飽和フッ素化化合物。
【請求項３】
ＸがＮのとき、ＡがＦである、請求項１に記載の不飽和フッ素化化合物。
【請求項４】
７５％のフッ素含有率％を有する、請求項１に記載の不飽和フッ素化化合物。
【請求項５】
以下：
【化２】
2019507105.tif 000002
及びこれらの組合せのうちの少なくとも１つを含む、請求項１に記載の不飽和フッ素化化合物。
【請求項６】
以下：
【化３】
2019507105.tif 000003
及びこれらの組合せのうちの少なくとも１つを含む、請求項１に記載の不飽和フッ素化化合物。
【請求項７】
以下：
【化４】
2019507105.tif 000004
及びこれらの組合せのうちの少なくとも１つを含む、請求項１〜６のいずれか一項に記載の不飽和フッ素化化合物。
【請求項８】
請求項１〜７のいずれか一項に記載の不飽和フッ素化化合物を含む作動流体であって、
前記不飽和フッ素化化合物が、前記作動流体中に、前記作動流体の総重量に基づいて少なくとも２５重量％の量で存在する、作動流体。
【請求項９】
請求項１〜７のいずれか一項に記載の不飽和フッ素化化合物の使用であって、前記不飽和フッ素化化合物が、洗浄組成物中にある、使用。
【請求項１０】
請求項１〜７のいずれか一項に記載の不飽和フッ素化化合物の使用であって、前記不飽和フッ素化化合物が、電解質溶媒又は添加剤である、使用。
【請求項１１】
請求項１〜７のいずれか一項に記載の不飽和フッ素化化合物の使用であって、前記不飽和フッ素化化合物が、熱伝達流体である、使用。
【請求項１２】
請求項１〜７のいずれか一項に記載の不飽和フッ素化化合物の使用であって、前記不飽和フッ素化化合物が、消火剤である、使用。
【請求項１３】
デバイスと、
前記デバイスへ又は前記デバイスから熱を伝達するための機構と、を備えた熱を伝達するための装置であって、
前記機構が、請求項１〜７のいずれか一項に記載の不飽和フッ素化化合物を含む熱伝達流体を含む、装置。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
癌のための治療を受けた対象における癌の進行を最小化するための組成物であって、治療有効量のキモトリプシノーゲンおよびトリプシノーゲンを含む、組成物。
【請求項２】
前記対象が、部分または完全寛解である、請求項１に記載の組成物。
【請求項３】
癌のための治療を受けた対象における微小残存病変を治療するための組成物であって、治療有効量のキモトリプシノーゲンおよびトリプシノーゲンを含む、組成物。
【請求項４】
癌のための治療を受けた対象における癌の再発を予防するための組成物であって、治療有効量のキモトリプシノーゲンおよびトリプシノーゲンを含む、組成物。
【請求項５】
癌のための治療を受けるべき、癌のための治療を受けている、または癌のための治療を受けた対象における癌の転移を予防または阻害するための組成物であって、治療有効量のキモトリプシノーゲンおよびトリプシノーゲンを含む、組成物。
【請求項６】
前記癌のための治療が、腫瘍の外科的摘出、放射線療法、化学療法、免疫療法またはそれらの組合せからなる群から選択される、請求項１〜５のいずれか一項に記載の組成物。
【請求項７】
対象における癌を予防するかまたは癌の発症を遅延させるための組成物であって、治療有効量のキモトリプシノーゲンおよびトリプシノーゲンを含む、組成物。
【請求項８】
前記対象が、癌のリスクがあると同定されている者である、請求項７に記載の組成物。
【請求項９】
前記癌のリスクを、家族歴、または癌のリスクと関連するバイオマーカー、またはそれらの組合せに基づき判定する、請求項８に記載の組成物。
【請求項１０】
前記対象が、癌を有すると診断されていない、請求項７〜９のいずれか一項に記載の組成物。
【請求項１１】
個体が、前記組成物を投与する時点において検出可能な癌を有さない、請求項１〜１０のいずれか一項に記載の組成物。
【請求項１２】
前記キモトリプシノーゲンおよびトリプシノーゲンを、１：１超であるが、１０：１以下のキモトリプシノーゲン：トリプシノーゲンの重量比で送達するように適合されている、請求項１〜１１のいずれか一項に記載の組成物。
【請求項１３】
前記キモトリプシノーゲン：トリプシノーゲンの重量比が、４：１〜８：１の範囲である、請求項１２に記載の組成物。
【請求項１４】
前記キモトリプシノーゲン：トリプシノーゲンの重量比が、５：１〜７：１の範囲である、請求項１２に記載の組成物。
【請求項１５】
前記キモトリプシノーゲン：トリプシノーゲンの重量比が、６：１である、請求項１４に記載の組成物。
【請求項１６】
前記対象が、癌幹細胞を有すると判定されている、請求項１〜１５のいずれか一項に記載の組成物。
【請求項１７】
１つ以上の癌幹細胞マーカーを発現する細胞を同定することにより、前記対象における癌幹細胞の存在を判定する、請求項１６に記載の組成物。
【請求項１８】
前記癌幹細胞マーカーが、
（ａ）ＣＤ３４＋、ＣＤ３８−、ＨＬＡ−ＤＲ、ＣＤ７１−、ＣＤ９０−、ＣＤ１１７−、およびＣＤ１２３＋；
（ｂ）ＥＳＡ＋ＣＤ４４＋ＣＤ２４−／ｌｏｗＬｉｎｅａｇｅ−、およびＡＬＤＨ−１ｈｉｇｈ；
（ｃ）ＣＤ１３３＋、ＣＤ４９ｆ＋、およびＣＤ９０＋；
（ｄ）ＣＤ１３３＋、ＢＣＲＰ１＋、Ａ２Ｂ５＋、およびＳＳＥＡ−１＋；
（ｅ）ＣＤ１３３＋、およびＡＢＣＧ２ｈｉｇｈ；
（ｆ）ＣＤ１３３＋、ＣＤ４４＋、ＣＤ１６６＋、ＥｐＣＡＭ＋、ＣＤ２４＋またはＣＤ３２６＋、およびＣＤ４４＋；
（ｇ）ＣＤ１３８−；
（ｈ）ＣＤ４４＋、α２β１ｈｉｇｈ、およびＣＤ１３３＋；ならびに
（ｉ）ＣＤ１３３＋、ＣＤ４４＋、ＥｐＣＡＭ＋、ＣＤ２４＋またはＣＤ３２６＋、ＣＤ４４＋、およびＣｘＣＲ４＋
の１つ以上から選択される、請求項１７に記載の組成物。
【請求項１９】
前記キモトリプシノーゲンおよびトリプシノーゲンの投与後に、前記対象における癌幹細胞数を低減させ、またはその数の増加を予防する、および/または前記キモトリプシノーゲンおよびトリプシノーゲンの投与後に、癌幹細胞を分化させる、請求項１〜１８のいずれか一項に記載の組成物。
【請求項２０】
前記癌が、膵臓癌、結腸癌、神経芽細胞腫、卵巣癌、非小細胞肺癌、皮膚癌、食道癌、肺癌および乳癌からなる群から選択される、請求項１〜１９のいずれか一項に記載の組成物。
【手続補正書】
【提出日】令和2年1月29日(2020.1.29)
【手続補正１】
【補正対象書類名】特許請求の範囲
【補正対象項目名】全文
【補正方法】変更
【補正の内容】
【特許請求の範囲】
【請求項１】
１種以上のエチレン性不飽和モノマー又はオリゴマー、並びに少なくとも１．６００の屈折率及び１００ｎｍ以下の離散粒子又は凝集体の平均粒径を有するナノ粒子を含む重合性樹脂と、
少なくとも２００ｎｍの離散粒子又は凝集体の平均粒径を有する無機金属酸化物充填剤と
を含む歯科用組成物であって、
前記ナノ粒子が、硬化した前記重合性樹脂と前記無機金属酸化物充填剤との間に屈折率差をもたらす濃度で存在し、それにより前記歯科用組成物のコントラスト比が少なくとも４０である、歯科用組成物。
【請求項２】
１０００ｍＷ／ｃｍ２の強度で２０秒間光硬化した後に、少なくとも３．５ｍｍの硬化深度を有する、請求項１に記載の歯科用組成物。
【請求項３】
前記無機金属酸化物充填剤が、前記１種以上のエチレン性不飽和モノマー又はオリゴマーの屈折率よりも大きい屈折率を有する、請求項１又は２に記載の歯科用組成物。
【請求項４】
前記充填剤がナノクラスター充填剤を含み、前記ナノクラスター充填剤が、少なくとも１．６００の屈折率を有する重金属酸化物及びシリカナノ粒子の凝集粒子を含む、請求項１〜３のいずれか一項に記載の歯科用組成物。
【請求項５】
前記ナノ粒子が、無機金属酸化物を含み、且つシリカナノ粒子を更に含み、前記少なくとも１．６００の屈折率を有するナノ粒子が第１の重量を有し、前記シリカナノ粒子が第２の重量を有し、前記第１の重量は前記第２の重量より大きい、請求項１〜４のいずれか一項に記載の歯科用組成物。
【請求項６】
固化した前記歯科用組成物が、以下の特性：
ｉ）２％未満のワッツ収縮率、
ｉｉ）少なくとも１２０ＭＰａの曲げ強さ、
ｉｉｉ）少なくとも８ＧＰａの曲げ弾性率、及び
ｖ）厚さ少なくとも３ｍｍのアルミニウムの放射線不透過性
のうちのいずれか１つ又はそれらの組み合わせを呈する、請求項１〜５のいずれか一項に記載の歯科用組成物。
【請求項７】
少なくとも１．６００の屈折率及び１００ｎｍ以下の平均粒径を有するナノ粒子を含み、ビスフェノール由来モノマーを実質的に含まない、重合性樹脂、
少なくとも２００ｎｍの離散粒子又は凝集体の平均粒径を有する無機金属酸化物充填剤
を含む歯科用組成物であって、前記ナノ粒子を含む硬化した前記重合性樹脂が、前記充填剤と少なくとも０．００５異なる屈折率を有する、歯科用組成物。
【請求項８】
少なくとも１種のビスフェノール由来モノマー、並びに少なくとも１．６００の屈折率及び１００ｎｍ以下の平均粒径を有するナノ粒子を含む、重合性樹脂、
少なくとも２００ｎｍの離散粒子又は凝集体の平均粒径を有する無機金属酸化物充填剤
を含む歯科用組成物であって、前記ナノ粒子を含む硬化した前記重合性樹脂が、前記充填剤と少なくとも０．０１０異なる屈折率を有する、歯科用組成物。
【手続補正書】
【提出日】令和2年2月4日(2020.2.4)
【手続補正１】
【補正対象書類名】特許請求の範囲
【補正対象項目名】全文
【補正方法】変更
【補正の内容】
【特許請求の範囲】
【請求項１】
３つの相補性決定領域（ＣＤＲ１、ＣＤＲ２、およびＣＤＲ３）を含む少なくとも１つのターゲティング部分を含むＣＤ８結合物質であって、
（ａ）ＣＤＲ１が、ＧＦＴＦＤＤＹＡＭＳ（配列番号１２）またはＧＦＴＦＤＤＹＡＩＧ（配列番号１３）から選択されるアミノ酸配列を含み、
（ｂ）ＣＤＲ２が、ＴＩＮＷＮＧＧＳＡＥＹＡＥＰＶＫＧ（配列番号１４）またはＣＩＲＶＳＤＧＳＴＹＹＡＤＰＶＫＧ（配列番号１５）から選択されるアミノ酸配列を含み、かつ
（ｃ）ＣＤＲ３が、ＫＤＡＤＬＶＷＹＮＬＳ（配列番号１６）またはＫＤＡＤＬＶＷＹＮＬＲ（配列番号１７）、およびＡＧＳＬＹＴＣＶＱＳＩＶＶＶＰＡＲＰＹＹＤＭＤＹ（配列番号１８）から選択されるアミノ酸配列を含む、
ＣＤ８結合物質。
【請求項２】
前記ターゲティング部分が、完全長抗体、単一ドメイン抗体、組換え重鎖のみで構成される抗体（ＶＨＨ）、単鎖抗体（ｓｃＦｖ）、サメ重鎖のみで構成される抗体（ＶＮＡＲ）、マイクロタンパク質、ｄａｒｐｉｎ、アンチカリン、アドネクチン、アプタマー、Ｆｖ、Ｆａｂ、Ｆａｂ’、Ｆ（ａｂ’）２、ペプチド模倣分子、受容体に対する天然リガンド、または合成分子である、請求項１に記載のＣＤ８結合物質。
【請求項３】
前記ターゲティング部分が、単一ドメイン抗体である、請求項１または２に記載のＣＤ８結合物質。
【請求項４】
前記ターゲティング部分が、ＶＨＨ、ヒト化ＶＨＨ、またはラクダ化ＶＨＨを含む、請求項３に記載のＣＤ８結合物質。
【請求項５】
前記ターゲティング部分が、ＧＦＴＦＤＤＹＡＭＳ（配列番号１２）のアミノ酸配列を含むＣＤＲ１、ＴＩＮＷＮＧＧＳＡＥＹＡＥＰＶＫＧ（配列番号１４）のアミノ酸配列を含むＣＤＲ２、およびＫＤＡＤＬＶＷＹＮＬＳ（配列番号１６）のアミノ酸配列を含むＣＤＲ３を含む、請求項１〜４のいずれか１項に記載のＣＤ８結合物質。
【請求項６】
配列番号１９と少なくとも９０％の配列類似性を有するアミノ酸配列を含む、請求項５に記載のＣＤ８結合物質。
【請求項７】
前記ターゲティング部分が、ＧＦＴＦＤＤＹＡＭＳ（配列番号１２）のアミノ酸配列を含むＣＤＲ１、ＴＩＮＷＮＧＧＳＡＥＹＡＥＰＶＫＧ（配列番号１４）のアミノ酸配列を含むＣＤＲ２、およびＫＤＡＤＬＶＷＹＮＬＲ（配列番号１７）のアミノ酸配列を含むＣＤＲ３を含む、請求項１〜４のいずれか１項に記載のＣＤ８結合物質。
【請求項８】
配列番号２０と少なくとも９０％の配列類似性を有するアミノ酸配列を含む、請求項７に記載のＣＤ８結合物質。
【請求項９】
前記ターゲティング部分が、ＧＦＴＦＤＤＹＡＩＧ（配列番号１３）のアミノ酸配列を含むＣＤＲ１、ＣＩＲＶＳＤＧＳＴＹＹＡＤＰＶＫＧ（配列番号１５）のアミノ酸配列を含むＣＤＲ２、およびＡＧＳＬＹＴＣＶＱＳＩＶＶＶＰＡＲＰＹＹＤＭＤＹ（配列番号１８）のアミノ酸配列を含むＣＤＲ３を含む、請求項１〜４のいずれか１項に記載のＣＤ８結合物質。
【請求項１０】
配列番号２１と少なくとも９０％の配列類似性を有するアミノ酸配列を含む、請求項９に記載のＣＤ８結合物質。
【請求項１１】
前記ＣＤ８結合物質が、１種または複数のシグナル伝達物質を含む、請求項１〜１０のいずれか１項に記載のＣＤ８結合物質。
【請求項１２】
前記シグナル伝達物質が、インターフェロン、インターロイキン、腫瘍壊死因子、およびそれらの改変された型の１種または複数から選択される、請求項１１に記載のＣＤ８結合物質。
【請求項１３】
前記ＣＤ８結合物質が、１つまたは複数の追加のターゲティング部分を含む、請求項１〜１２のいずれか１項に記載のＣＤ８結合物質。
【請求項１４】
前記１つまたは複数の追加のターゲティング部分が、腫瘍抗原または免疫細胞上の抗原を認識するまたは機能的に調節する、請求項１３に記載のＣＤ８結合物質。
【請求項１５】
癌、感染症、免疫異常、および／または自己免疫疾患のうちの１種または複数を処置するための薬物の製造のための請求項１〜１４のいずれか１項に記載のＣＤ８結合物質の使用。
【請求項１６】
請求項１〜１５のいずれか１項に記載のＣＤ８結合物質および薬学的に許容可能な賦形剤または担体を含む医薬組成物。
【手続補正書】
【提出日】令和2年2月13日(2020.2.13)
【手続補正１】
【補正対象書類名】特許請求の範囲
【補正対象項目名】全文
【補正方法】変更
【補正の内容】
【特許請求の範囲】
【請求項１】
式Ｉの化合物、またはその薬学的に許容可能な塩、代謝産物、溶媒和物またはプロドラッグであって：
【化１】
2019507133.tif 000001
式中、Ｒの各々、およびＲ１は、独立して、水素、Ｃ（＝Ｏ）ＯＲ５、Ｃ（＝Ｏ）Ｒ５、Ｃ（＝Ｏ）ＮＲ５Ｒ６、あるいは１つ以上のハロゲン、ＮＲ５Ｒ６、ＯＲ５、アリールまたはヘテロアリールで随意に置換されたＣ１−Ｃ８アルキルであり；
Ｒ２は、水素、Ｃ（＝Ｏ）ＯＲ５、Ｃ（＝Ｏ）Ｒ５、Ｃ（＝Ｏ）ＮＲ５Ｒ６、あるいは１つ以上のハロゲン、アリールまたはヘテロアリールで随意に置換されたＣ１−Ｃ８アルキルであり、
Ｒ３は、水素、随意に置換されたメチルまたは（ＣＨ２）ｍ−ＣＨ３であり、ｍ＝０−６であり、
Ｒ４は、Ｈ、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニルであり、
ここでＣ１−Ｃ８アルキル、Ｃ２−Ｃ８アルケニル、Ｃ２−Ｃ８アルキニルは、ＮＲ５Ｒ６、ＯＲ５、ＯＣ（＝Ｏ）Ｒ７、Ｃ（＝Ｏ）ＯＲ５、Ｃ（＝Ｏ）Ｒ５、Ｃ（＝Ｏ）ＮＲ５Ｒ６、Ｃ１−Ｃ８アルキル、Ｃ２−Ｃ８アルケニル、Ｃ２−Ｃ８アルキニル、Ｃ３−Ｃ８シクロアルキル、およびＣ１−Ｃ８ハロアルキルから選択される１つ以上の置換基で随意に置換され；
Ｒ５およびＲ６はそれぞれ、独立してＨまたはＣ１−Ｃ８アルキルであり；
Ｒ７は、Ｃ１−Ｃ８アルキル、ＯＲ５またはＮＲ５Ｒ６である、化合物。
【請求項２】
Ｒ３はメチルであり、Ｒ４はＨである、請求項１に記載の化合物。
【請求項３】
Ｒ３が、水素、メチル、エチル、プロピル、ブチル、ペンチル、またはヘキシルである、請求項１に記載の化合物。
【請求項４】
Ｒ４が、Ｈ、メチル、エチル、プロピル、ブチル、ペンチル、ヘキシル、Ｃ（＝Ｏ）ＯＲ５、Ｃ（＝Ｏ）Ｒ５、またはＣ（＝Ｏ）ＮＲ５Ｒ６である、請求項１に記載の化合物。
【請求項５】
Ｒの各々、およびＲ１が、独立して、水素、１つ以上のハロゲン、ＮＲ５Ｒ６、ＯＲ５、アリールまたはヘテロアリールで随意に置換された、メチル、エチル、プロピル、ブチル、ペンチル、ヘキシルである、請求項１に記載の化合物。
【請求項６】
Ｒ１が、水素、１つ以上のハロゲン、ＮＲ５Ｒ６、あるいはヘテロアリールで随意に置換された、メチル、エチル、プロピル、ブチル、ペンチル、ヘキシルである、請求項５に記載の化合物。
【請求項７】
Ｒが、水素、Ｃ（＝Ｏ）ＯＲ５、Ｃ（＝Ｏ）Ｒ５、Ｃ（＝Ｏ）ＮＲ５Ｒ６、またはＣ１−Ｃ８アルキルである、請求項１に記載の化合物。
【請求項８】
Ｒ１が、水素、あるいは１つ以上のハロゲン、ＮＲ５Ｒ６、ＯＲ５、アリールまたはヘテロアリールで随意に置換されたＣ１−Ｃ８アルキルであり、Ｒが、Ｈ、またはＣ（＝Ｏ）Ｒ５である、請求項１または２に記載の化合物。
【請求項９】
Ｒ２が、メチル、エチル、プロピル、ブチル、ペンチル、ヘキシル、Ｃ（＝Ｏ）ＯＲ５、Ｃ（＝Ｏ）Ｒ５、またはＣ（＝Ｏ）ＮＲ５Ｒ６である、請求項１に記載の化合物。
【請求項１０】
【化２−１】
2019507133.tif 000002
【化２−２】
2019507133.tif 000003
から成る群から選択される、請求項１または２に記載の化合物。
【請求項１１】
【化３】
2019507133.tif 000004
から成る群から選択される、請求項１または２に記載の化合物。
【請求項１２】
被験体の肝臓癌の処置に使用される治療学的に有効な量の請求項１または２のシクロヘキセノン化合物を含む、医薬組成物。
【請求項１３】
前記化合物が肝臓癌細胞を阻害する、請求項１２に記載の医薬組成物。
【請求項１４】
前記化合物が癌腫瘍重量を減少させるか、または癌腫瘍サイズを縮小させる、請求項１２に記載の医薬組成物。
【請求項１５】
【化４】
2019507133.tif 000005
から成る群から選択される、請求項１２に記載の医薬組成物。
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
封入された１つ以上の融合タンパク質を含む生分解性粒子であって、
前記１つ以上の融合タンパク質の各々は、２つ以上の抗原エピトープを含み、
前記２つ以上の抗原エピトープは、リンカーによって分離され、
前記生分解性粒子は、負のゼータ電位を有する、
生分解性粒子。
【請求項２】
前記リンカーのアミノ酸配列が、プロテアーゼによる部位特異的切断に感受性である、請求項１に記載の生分解性粒子。
【請求項３】
前記生分解性粒子が、約−１００ｍＶから約０ｍＶのゼータ電位を有する、請求項１又は２に記載の生分解性粒子。
【請求項４】
前記生分解性粒子が、約０．１μｍから約１０μｍの直径を有する、請求項１から３のいずれか一項に記載の生分解性粒子。
【請求項５】
前記２つ以上の抗原エピトープが、自己免疫抗原、対象に移植されるべき組織上に発現する抗原、酵素補充療法のための酵素由来の抗原、又はアレルゲン由来の抗原を含む、請求項１から４のいずれか一項に記載の生分解性粒子。
【請求項６】
前記２つ以上の抗原エピトープが、治療抗体、抗原結合断片、又はそのＦｃ断片に由来する、請求項１から５のいずれか一項に記載の生分解性粒子。
【請求項７】
前記２つ以上の抗原エピトープが、機能的相補性決定領域（ＣＤＲ）を欠く治療抗体又はその抗原結合断片の変異体に由来する、請求項１から５のいずれか一項に記載の生分解性粒子。
【請求項８】
疾患又は状態の治療又は予防における使用のための、請求項１から７のいずれか一項に記載の生分解性粒子。
【請求項９】
対象において抗原特異的寛容を誘導する使用のための、請求項１から７のいずれか一項に記載の生分解性粒子。
【請求項１０】
対象において抑制性好中球蓄積を減少させる使用のための、請求項１から７のいずれか一項に記載の生分解性粒子。
【請求項１１】
対象において治療タンパク質に対する免疫応答の発生率及び／又は程度を低下させる使用のための、請求項１から７のいずれか一項に記載の生分解性粒子。
【請求項１２】
有効量の前記生分解性粒子が、対象に、経口、静脈内、舌下、頬側、腸内、局所、直腸、皮下、経鼻、骨内（すなわち、骨内注入）、腹腔内、くも膜下腔内、経皮、又は経粘膜投与される、請求項８から１１のいずれか一項に記載の使用。
【請求項１３】
前記疾患又は状態が癌であるか、前記対象が癌を有する、請求項８から１１のいずれか一項に記載の使用。
【請求項１４】
前記疾患又は状態が、自己免疫疾患、リソソーム蓄積症、酵素欠損症、炎症性疾患、アレルギー、移植拒絶反応、及び過免疫応答からなる群から選択される、請求項８から１１のいずれか一項に記載の使用。
【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
式（Ｉ）の化合物又は医薬的に許容されるその塩。
【化１】
2019507120.tif 000001
（式中、ＸはＮ及びＹはＣであるか、ＸはＣ及びＹはＮであり、
Ｗはピリジニル、ピリミジニル、及びフェニルから選択され、
Ｒ1は−Ｓ（Ｏ）nＲ7、−Ｓ（Ｏ）nＮＲ8Ｒ9及び−Ｓ（Ｏ）（ＮＨ）Ｒ7から選択され、Ｒ7はＣ1-3アルキルであり、Ｒ8及びＲ9は各々−Ｈであり、ｎは１又は２であり、
Ｒ2は、Ｃ3-6シクロアルキル、ハロゲン、−ＣＦ3及び−ＣＮから独立して選択される１つ又は２つの基で置換されてもよいＣ1-6アルキルであり、
Ｒ3は、
【化２】
2019507120.tif 000002
から選択され、
Ｒ4及びＲ5は独立してＣ1-3アルキル、シクロプロピル及びメトキシから選択され、
Ｒ6はＨ、−ＮＨ2、Ｃ1-3アルキル、シクロプロピル及びメトキシから選択される）
【請求項２】
ＸはＮ及びＹはＣであるか、ＸはＣ及びＹはＮであり、
Ｗは２−ピリジニル、３−ピリジニル、２−ピリミジニル及びフェニルから選択され、  Ｒ1は−Ｓ（Ｏ）nＲ7から選択され、Ｒ7はＣ1-3アルキルであり、ｎは２であり、
Ｒ2は、シクロプロピル、−ＣＦ3及び−ＣＮから独立して選択される１つ又は２つの基で置換されてもよいＣ1-6アルキルであり、
Ｒ3は、
【化３】
2019507120.tif 000003
から選択され、
Ｒ4及びＲ5は独立してＣ1-3アルキル、シクロプロピル及びメトキシから選択され、
Ｒ6はＨ及び−ＮＨ2から選択される、請求項１記載の式（Ｉ）の化合物又は医薬的に許容されるその塩。
【請求項３】
ＸはＮ及びＹはＣである、請求項１記載の式（Ｉ）の化合物又は医薬的に許容されるその塩。
【請求項４】
Ｒ3は、
【化４】
2019507120.tif 000004
である、請求項１記載の式（Ｉ）の化合物又は医薬的に許容されるその塩。
【請求項５】
ＸはＮ及びＹはＣであり、
Ｗは２−ピリジニル又は３−ピリジニルであり、
Ｒ1は−Ｓ（Ｏ）nＲ7から選択され、Ｒ7はＣ1-3アルキルであり、ｎは２であり、
Ｒ2はシクロプロピルで置換されてもよいＣ1-5アルキルであり、
Ｒ3は、
【化５】
2019507120.tif 000005
であり、
Ｒ4及びＲ5は独立してＣ1-3アルキル、シクロプロピル及びメトキシから選択され、
Ｒ6はＨである、請求項１記載の式（Ｉ）の化合物又は医薬的に許容されるその塩。
【請求項６】
下記化合物からなる群から選択される、請求項１記載の式（Ｉ）の化合物又は医薬的に許容されるその塩。
【化６】
2019507120.tif 000006
【請求項７】
請求項１〜６のいずれか１項に記載の式（Ｉ）の化合物及び医薬的に許容される賦形剤又は担体を含む医薬組成物。
【請求項８】
自己免疫疾患又はアレルギー性疾患を治療するための医薬組成物であって、
請求項１〜６のいずれか１項に記載の式（Ｉ）の化合物又は医薬的に許容されるその塩を含む、前記医薬組成物。
【請求項９】
前記自己免疫疾患又はアレルギー性疾患は、関節リウマチ、乾癬、全身性エリテマトーデス、ループス腎炎、強皮症、喘息、アレルギー性鼻炎、アレルギー性湿疹、多発性硬化症、若年性関節リウマチ、若年性突発性関節炎、Ｉ型糖尿病、炎症性腸疾患、移植片対宿主病、乾癬性関節症、反応性関節炎、強直性脊椎炎、クローン病、潰瘍性大腸炎及びブドウ膜炎から選択される、請求項８記載の医薬組成物。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
式(i)の化合物またはその立体異性体若しくは医薬的に許容される塩：
2019507116.tif 000001
(i)
(式中、
nは、0〜4の整数であり；
mは、0〜4の整数であり；
Xは、ヒドロキシまたはC1-4アルコキシであり；
R1およびR2は、独立して、H、ヒドロキシ、C1-4アルキル、C1-4アルコキシ、アミノ、-S-C1-4アルキルまたはハロであり；
R3は、H、ヒドロキシ、シアノ、ハロ、C1-4アルキルまたはC1-4アルコキシであり；
R4は、各々独立して、水素、ヒドロキシ、オキソ、ハロ、C1-4アルキルまたはC1-4アルコキシであり；
R5は、HまたはC1-4アルキニルであり、
---は、二重結合であってもよく；
C1-4アルキルまたはC1-4アルコキシはハロ、シアノ、アミノ、ヒドロキシおよびC1-4アルコキシの1つ以上で置換されていてもよい)。
【請求項２】
R1およびR2の少なくとも1つがC1-4アルキルである、請求項１記載の化合物またはその医薬的に許容される塩。
【請求項３】
R1およびR2が、独立して、H、メチル、エチル、クロロ、-CH2OHおよび-CH2OMeから選択される、請求項１記載の化合物またはその医薬的に許容される塩。
【請求項４】
R3が、H、OH、オキソ、クロロ、シアノまたはメトキシから選択される、請求項１、２または３記載の化合物またはその医薬的に許容される塩。
【請求項５】
下記からなる群から選択される、請求項１記載の化合物またはその医薬的に許容される塩：
2019507116.tif 000002
【請求項６】
式(ii)の請求項１記載の化合物またはその立体異性体若しくは医薬的に許容される塩
2019507116.tif 000003
(ii)
(式中、
Rは、Hまたはメチルである)。
【請求項７】
式(iii)に従う化合物またはその立体異性体若しくは医薬的に許容される塩
2019507116.tif 000004
(iii)
(式中、
mは、0〜3の整数であり；
R1は、H、ヒドロキシ、C1-4アルキル、C1-4アルコキシ、アミノ、-S-C1-4アルキルまたはハロであり；
R2は、ヒドロキシ、C1-4アルキル、C1-4アルコキシ、アミノ、-S-C1-4アルキルまたはハロであり；
R5は、H、ヒドロキシまたはC1-4アルキルであり；
R6は、各々独立して、H、ヒドロキシ、ハロまたはC1-4アルキルであり；
C1-4アルキルまたはC1-4アルコキシがハロ、シアノ、アミノ、ヒドロキシおよびC1-4アルコキシの1つ以上で置換されていてもよい)。
【請求項８】
R1およびR2の少なくとも一方がC1-4アルキルである、請求項７記載の化合物または医薬的に許容されるその塩。
【請求項９】
R5が-CH(OH)(CH3)である、請求項７または８記載の化合物または医薬的に許容されるその塩。
【請求項１０】
R6が-CH2OHである、請求項７、８または９記載の化合物または医薬的に許容されるその塩。
【請求項１１】
下記からなる群から選択される請求項７記載の化合物または医薬的に許容されるその塩：
2019507116.tif 000005
【請求項１２】
式(vi)に従う化合物またはその立体異性体若しくは医薬的に許容される塩；
2019507116.tif 000006
(vi)
(式中、
nは、0〜4の整数であり;
mは、0〜4の整数であり；
Xは、H、ヒドロキシまたはC1-4アルコキシであり;
R1およびR2は、独立して、H、ヒドロキシ、C1-4アルキル、C1-4アルコキシ、アミノ、-S-C1-4アルキルまたはハロであり；
R3は、H、ヒドロキシ、オキソ、シアノ、ハロ、C1-4アルキルまたはC1-4アルコキシであり；
各R4は、独立して、水素、ヒドロキシ、オキソ、ハロ、C1-4アルキルまたはC1-4アルコキシであり；
R5は、H、アルキニルであるか、または二重結合が存在する場合には存在せず；
R6およびR7は、独立して、C1-4アルキルおよびHから選択され；
---は、二重結合でああってもよく；
C1-4アルキルまたはC1-4アルコキシは、ハロ、シアノ、アミノ、ヒドロキシおよびC1-4アルコキシの1つ以上で置換されていてもよい）。
【請求項１３】
R1およびR2の少なくとも一方がC1-4アルキルである、請求項１２記載の化合物。
【請求項１４】
R1およびR2が、独立して、H、メチル、エチル、クロロ、-CH2OHおよび-CH2OMeから選択される、請求項１２記載の化合物。
【請求項１５】
R3が、H、OH、オキソ、クロロ、シアノまたはメトキシから選択され、ｍが０である、請求項１２，１３または１４記載の化合物。
【請求項１６】
R6がメチルであり、R7がHである、請求項１２，１３、１４または１５記載の化合物。
【請求項１７】
式(vii)に従う化合物またはその立体異性体若しくは医薬的に許容される塩；
2019507116.tif 000007
(vii)
(式中、
R7およびR8は、独立して、H、C1-5アルキル、アミノ、ヒドロキシル、シアノ、アミド、環状C3-8アルキルまたはヘテロシクリルである)。
【請求項１８】
下記からなる群から選択される化合物またはその立体異性体若しくは医薬的に許容される塩：
2019507116.tif 000008
2019507116.tif 000009
2019507116.tif 000010
2019507116.tif 000011
2019507116.tif 000012
2019507116.tif 000013
2019507116.tif 000014
【請求項１９】
下記からなる群から選択される、請求項１８記載の化合物またはその医薬的に許容される塩：
2019507116.tif 000015
【請求項２０】
請求項１〜１９のいずれか1項記載の化合物またはその医薬的に許容される塩を含む医薬組成物。
【請求項２１】
請求項１記載の化合物またはその医薬的に許容される塩の治療的有効量を投与することを含む対象における疾患または状態を治療する方法であって、前記疾患または状態が閉経後症状、心血管疾患、脳卒中、血管疾患、骨疾患、代謝性疾患、関節炎、骨粗鬆症、肥満、血管運動性症状/のぼせ、認知低下、および癌から選択される、前記方法。
【請求項２２】
請求項１記載の化合物またはその医薬的に許容される塩および使用説明書を含むキット。
【手続補正書】
【提出日】令和2年2月7日(2020.2.7)
【手続補正１】
【補正対象書類名】特許請求の範囲
【補正対象項目名】全文
【補正方法】変更
【補正の内容】
【特許請求の範囲】
【請求項１】
2型糖尿病及び心血管疾患を有する対象における主要有害心血管イベント(MACE)の発症を低減させるための医薬組成物であって、治療有効量のリラグルチドを含み、MACEが、心血管死、非致死性の心筋梗塞又は非致死性の脳卒中である、医薬組成物。
【請求項２】
MACEが、心血管死である、請求項1に記載の医薬組成物。
【請求項３】
対象が、ヒトである、請求項1又は2に記載の医薬組成物。
【請求項４】
治療有効量のリラグルチド及び1つ又は複数の賦形剤からなる、請求項1〜3のいずれか一項に記載の医薬組成物。
【請求項５】
リラグルチドが、唯一の活性な治療用成分である、請求項1〜4のいずれか一項に記載の医薬組成物。
【請求項６】
1つ又は複数の賦形剤を含む、請求項1〜3のいずれか一項に記載の医薬組成物。
【請求項７】
皮下注入用である、請求項1〜6のいずれか一項に記載の医薬組成物。
【請求項８】
対象が心血管薬を投与されている、請求項1から7のいずれか一項に記載の医薬組成物。
【請求項９】
対象が少なくとも50歳である、請求項1から8のいずれか一項に記載の医薬組成物。
【請求項１０】
リラグルチドが、0.6mg、1.2mg及び1.8mgから選択される量で存在する、請求項1から9のいずれか一項に記載の医薬組成物。
【請求項１１】
1つ又は複数の賦形剤が、緩衝液系、防腐剤、張性剤、キレート剤、安定剤、及び界面活性剤から選択される、請求項1から10のいずれか一項に記載の医薬組成物。
【請求項１２】
約6mg/mlのリラグルチド、約2〜15mMのリン酸緩衝液、約2〜25mg/mlのプロピレングリコール及び約1〜18mg/mlのフェノールを含み、7.5〜9.0の範囲のpHを有する、請求項1に記載の医薬組成物。
【請求項１３】
6mg/mlのリラグルチド、1.42mg/mlのリン酸二ナトリウム二水和物、14.0mg/mlのプロピレングリコール及び5.5mg/mlのフェノールを含み、8.15のpHを有する、請求項4に記載の医薬組成物。
【請求項１４】
ペン型注射器を用いる注入用の溶液である、請求項1から13のいずれか一項に記載の医薬組成物。
【請求項１５】
ペン型注射器が、3mlの使い捨てのペン型注射器である、請求項14に記載の医薬組成物。
【請求項１６】
1日に1回投与用である、請求項1から15のいずれか一項に記載の医薬組成物。
【手続補正書】
【提出日】令和2年1月31日(2020.1.31)
【手続補正１】
【補正対象書類名】特許請求の範囲
【補正対象項目名】全文
【補正方法】変更
【補正の内容】
【特許請求の範囲】
【請求項１】
複合材料から複合品を製造する装置であって、
フラッシュランプを有するパルス広帯域放射源と、
前記パルス広帯域放射源によって放出された光をターゲット領域へガイドするように構成された光ガイドとを備え、
前記光ガイドは、光伝達性材料を有する、前記ターゲット領域に対して前記パルス広帯域放射源の前にある少なくとも一部分を有している
装置。
【請求項２】
前記ターゲット領域に対して前記パルス広帯域放射源の前にある前記光ガイドの前記一部分は、光伝達性材料のブロックを備える、請求項１に記載の装置。
【請求項３】
前記ブロックは、２つ以上の、光伝達性材料のセグメントを備える、請求項２に記載の装置。
【請求項４】
前記ブロックの出力面は、光が前記ブロックに放出されて、前記ターゲット領域において所定の放射プロファイルを提供するように構成され、任意で、前記ブロックの前記出力面は、所望の放射プロファイルを提供するように成形および／またはファセット加工される、請求項１から請求項３のいずれか一項に記載の装置。
【請求項５】
前記装置によって対象物の接触部位に圧力を付与するための接触面をさらに備える、請求項１から請求項４のいずれか一項に記載の装置。
【請求項６】
前記接触面は、前記成形ブロックの前記出力面に含まれる、請求項４に従属する場合の請求項５に記載の装置。
【請求項７】
前記接触面は、放射透過クレードルに含まれる、請求項５または請求項６に記載の装置。
【請求項８】
前記パルス広帯域放射源、および前記光ガイドまたはその一部分のうちの、１または複数を移動させるためのアクチュエータをさらに備える、請求項１から請求項７のいずれか一項に記載の装置。
【請求項９】
複合材料から複合品を製造する方法であって、
フラッシュランプを備えるパルス広帯域放射源から放射光を放出することと、
前記パルス広帯域放射源から放出された光を光ガイドでガイドすることとを含み、前記光ガイドは、前記複合材料の表面上のターゲット領域に対して前記パルス広帯域放射源の前にある少なくとも一部分を備え、前記パルス広帯域放射源の前にある前記一部分は、光伝達性材料を有することを特徴とする
方法。
【請求項１０】
前記ターゲット領域の形状、または前記ターゲット領域における放射の強度を変更または維持するために、前記装置の動作中に、前記光ガイドの少なくとも一部分および前記パルス広帯域放射源を、互いに対して移動させることを含む、請求項９に記載の方法。
【請求項１１】
光を前記光ガイドを介して所定の放射プロファイルで前記ターゲット領域へ伝達することを含む、請求項９または請求項１０に記載の方法。
【請求項１２】
前記パルス広帯域放射源を前記光ガイドに対して傾斜させることおよび／または回転させることを含む、請求項９から請求項１１のいずれか一項に記載の方法。
【請求項１３】
前記パルス広帯域放射源を前記光ガイドまたは少なくともその一部分に対してアクチュエータで移動させることを含む、請求項９から請求項１２のいずれか一項に記載の方法。
【請求項１４】
前記装置によって、接触面で、対象物の接触部位に圧力を加えることを含む、請求項９から請求項１２のいずれか一項に記載の方法。
【請求項１５】
請求項９から請求項１４のいずれか一項に記載の方法を含む、複合物を熱処理する方法。
【請求項１６】
請求項８の装置と、
アクチュエータの動作を制御するように構成されたコントローラと
を備える、システム。
【請求項１７】
前記装置を実装するヘッドと、
ターゲット対象物に対する前記ヘッドの移動を制御する第２のコントローラとをさらに備え、
前記ターゲット領域は、前記ターゲット対象物上にあり、任意で、第１および第２のコントローラは、前記システムの動作中に実質的に同時に動作可能である、請求項１６に記載のシステム。
【請求項１８】
パルス広帯域放射源と、
前記パルス広帯域放射源によって放出された光をターゲット領域へガイドするように構成された光ガイドとを備え、
前記光ガイドまたは少なくともその一部分、および前記パルス広帯域放射源は、互いに対して移動可能であるように構成される、
装置。
【請求項１９】
複合材料から複合品を製造する装置であって、
パルス広帯域放射源と、
前記パルス広帯域放射源によって放出された光をターゲット領域へガイドするように構成された光ガイドとを備え、
前記光ガイドは、前記ターゲット領域に対して前記パルス広帯域放射源の前にある少なくとも一部分を備える、
装置。
【請求項２０】
パルス広帯域放射源と、
前記パルス広帯域放射源によって放出された光をターゲット領域へガイドするように構成された光ガイドとを有し、
前記光ガイドまたは少なくともその一部分、および前記パルス広帯域放射源は、互いに対して移動可能であるように構成される、
装置を備える、加熱システム。
【請求項２１】
パルス広帯域放射源と、
前記パルス広帯域放射源によって放出された光をターゲット領域へガイドするように構成された光ガイドとを有し、
前記光ガイドは、前記ターゲット領域に対して前記パルス広帯域放射源の前にある少なくとも一部分を含む、
装置を備える、加熱システム。
【請求項２２】
パルス広帯域放射源と、
前記パルス広帯域放射源によって放出された光をターゲット領域へガイドするように構成された光ガイドとを有し、
前記光ガイドまたは少なくともその一部分、および前記パルス広帯域放射源は、互いに対して移動可能であるように構成される、
装置を備える、クリーニングシステム。
【請求項２３】
パルス広帯域放射源と、
前記パルス広帯域放射源によって放出された光をターゲット領域へガイドするように構成された光ガイドとを有し、
前記光ガイドは、前記ターゲット領域に対して前記パルス広帯域放射源の前にある少なくとも一部分を含む、
装置を備える、クリーニングシステム。
【請求項２４】
パルス広帯域放射源と、
前記パルス広帯域放射源によって放出された光をターゲット領域へガイドするように構成された光ガイドとを有し、
前記光ガイドまたは少なくともその一部分、および前記パルス広帯域放射源は、互いに対して移動可能であるように構成される、
装置を備える、焼結システム。
【請求項２５】
パルス広帯域放射源と、
前記パルス広帯域放射源によって放出された光をターゲット領域へガイドするように構成された光ガイドとを有し、
前記光ガイドは、前記ターゲット領域に対して前記パルス広帯域放射源の前にある少なくとも一部分を含む、
装置を備える、焼結システム。
【請求項２６】
ターゲット領域へ放射光を伝達する方法であって、
パルス広帯域放射源から放射光を放出することと、
前記パルス広帯域放射源から放出された光を光ガイドでガイドすることと、
前記パルス広帯域放射源を前記光ガイドまたはその一部分に対して移動させることと
を含む方法。
【請求項２７】
複合材料から複合品を製造する方法であって、
パルス広帯域放射源から放射光を放出することと、
前記パルス広帯域放射源から放出された光を光ガイドでガイドすることとを含み、前記光ガイドは、前記複合材料の表面上のターゲット領域に対して前記パルス広帯域放射源の前にある少なくとも一部分を備えることを特徴とする
方法。